(57)【特許請求の範囲】
【請求項１】
誘電体基板と、
前記誘電体基板の一方面上に設けられた一対の導体板と、
を有し、前記一対の導体板は、無線タグ用集積回路の搭載位置に関して点対称な形状を有し、かつ円偏波信号を送受信するように構成され、
前記一対の導体板の内の一方の導体板の給電端子と他方の導体板の給電端子との間の線路に並列に、一対のインダクタンス素子が設けられている、無線タグ用アンテナ。
【請求項２】
前記一対の導体板及び前記搭載位置が、前記一方面上の或る基準直線に沿って整列する、請求項１記載の無線タグ用アンテナ。
【請求項３】
前記一対の導体板各々の輪郭が、前記基準直線に平行な直線部分を有する、請求項２記載の無線タグ用アンテナ。
【請求項４】
前記一対の導体板各々の輪郭が、前記基準直線に垂直な直線部分を有する、請求項２記載の無線タグ用アンテナ。
【請求項５】
前記誘電体基板の他方面上に接地導体板が設けられる、請求項１記載の無線タグ用アンテナ。
【請求項６】
前記一対の導体板各々の輪郭は、鈍角をなす頂点を1以上有する、請求項１記載の無線タグ用アンテナ。
【請求項７】
前記一対のインダクタンス素子を形成する一対の線路が、前記搭載位置に関して点対称な形状を有する、請求項１記載の無線タグ用アンテナ。
【請求項８】
請求項１記載の無線タグ用アンテナと、前記搭載位置に設けられ、前記一対の導体板に接続された無線タグ用集積回路とを有する、無線タグ。
【発明の詳細な説明】
【技術分野】
【０００１】
本発明は無線タグ及び無線タグ用アンテナに関連する。
【背景技術】
【０００２】
近年、無線タグを利用するシステムが注目されている。このシステムは無線タグ及びリーダ／ライタ装置を含む。リーダ／ライタ装置は、無線タグからの情報を読み取る又はそこへ情報を書き込むことができる。リーダ／ライタ装置は質問器(interrogator)とも呼ばれる。無線タグは、ＲＦタグ、ＲＦＩＤ、ＲＦＩＤタグ、ＩＣタグ、電子タグ等と言及される。
【０００３】
無線タグには一般に能動型（アクティブ型）と受動型（パッシブ型）がある。アクティブ型のＲＦタグは、自ら電力を用意することができ、ＲＦタグリーダ側の装置構成を簡単にすることができる。後者は、自ら電力を用意することはできず、外部からエネルギーを受けることによって、ＩＤ情報の送信等の動作が行なわれる。パッシブ型は、無線タグを安価にする等の観点から好ましく、将来的に特に有望である。
【０００４】
使用する信号の周波数帯域の観点からは、電磁結合方式と電磁波方式とがある。前者は数キロヘルツ程度の周波数帯域や、13.5MHｚ程度の周波数帯域等を使用する。後者は、ＵＨＦ帯（例えば950MHｚ）や、2.45GHｚのような高い周波数帯域を使用する。通信可能な距離を増やす等の観点からは高い周波数の信号を使用することが望ましい。
【０００５】
無線タグを利用するシステムでは、無線タグを通じて何らかの識別情報（ＩＤ）や製品番号等のようなデータが読み書きされ、製品管理等が行われてもよい。或いはチケットやポイントのような何らかの価値を示す情報が読み書きされてもよい。これにより単なる製品管理だけでなく、次世代交通システム用の電子チケットや交通乗車券、更には電子マネー等を含む様々な用途が期待される。
【０００６】
無線タグと共に同行する対象物には様々なものが考えられるが、特に対象物が導電性を有するか否かは無線タグの設計で特に重要視される。対象物が絶縁性であれば、無線タグを対象物に取り付ける前後で無線タグの動作特性又は通信環境はさほど大きく変わらない。しかしながら、無線タグが金属筐体のような導電体に取り付けられると、その導体によるイメージ電流が通信時に発生し、受信信号レベル及び／又は送信信号レベル等に大きな影響が及び、無線タグの動作特性は大きく変わる。（導電性の対象物の具体例としては、例えば金属製のコンテナや、金属パイプで形成された担架等が挙げられるが、これらに限定されない。）このため、導電性の対象物に取り付けられる無線タグの通信可能な距離は、絶縁性の対象物に取り付けられる無線タグに比較して短く制限されてしまう。この問題に関し、本願出願時以前に公開されている非特許文献１では、アンテナの形状を工夫し、金属に直接貼付できるようにしたパッシブタイプの無線タグが記載されている。
【非特許文献１】「EPC  C1G2規格に準拠したRFIDのリーダ／ライターと金属貼付用タグを開発」、三菱電機株式会社  広報部、西暦2005年9月7日、インターネット<http://www.mitsubishielectric.co.jp/news-data/2005/pdf/0907-b.pdf>
【発明の開示】
【発明が解決しようとする課題】
【０００７】
しかしながら非特許文献１に記載された無線タグ用アンテナは、５ｍｍ程度の比較的厚い厚みを有する。このことは無線タグを安価に製造する観点からは好ましくない。また、非特許文献1に記載された無線タグでは、アンテナを構成する金属板にそこを貫通する細長い溝（スリット）が形成され、そのスリット中に無線タグ用集積回路が接続されなければならない。このような複雑なアンテナ形状を高精度に速やかに製造することも容易ではない。  
本発明は、上記の問題に鑑みてなされたものであり、その課題は、通信可能な距離が長く厚みの薄い無線タグ用アンテナ及び無線タグを提供することである。
【課題を解決するための手段】
【０００８】
一実施例による無線タグ用アンテナは、
誘電体基板と、
前記誘電体基板の一方面上に設けられた一対の導体板と
を有し、前記一対の導体板は、無線タグ用集積回路の搭載位置に関して点対称な形状を有し、かつ円偏波信号を送受信するように構成され、
前記一対の導体板の内の一方の導体板の給電端子と他方の導体板の給電端子との間の線路に並列に、一対のインダクタンス素子が設けられている、無線タグ用アンテナが使用される。
【発明の効果】
【０００９】
本発明によれば、無線タグの通信可能な距離を長くするだけでなく、無線タグの厚みを薄くすることもできる。
【発明を実施するための最良の形態】
【００１０】
本発明の一形態では、誘電体基板の一方面上に一対の導体板が設けられ、その一対の導体板は、無線タグ用集積回路の搭載位置に関して点対称な形状を有する。このアンテナ構造は無線タグ用集積回路に整合しやすいので、整合用の調整回路を更に用意しなくて済む。  導電性の対象物と同行する無線タグを形成する観点からは、誘電体基板の他方面上に接地導体板が設けられる。
【００１１】
一対の導体板及び前記搭載位置は、誘電体基板の一方面上の或る基準直線に沿って整列する。一対の導体板各々の輪郭は、基準直線に実質的に平行な直線部分を有してよいし、或いは、基準直線に垂直な直線部分を有してもよい。一対の導体板各々の輪郭は実質的に三角形をなしてもよい。一対の導体板各々の輪郭は、鈍角をなす頂点を1以上有してよいし、４より多くの頂点を有する多角形をなしてもよい。いずれにせよ導体板の各々の輪郭の一部に直線的な部分を形成することで、効果的に円偏波を送受信することができる。これにより通信可能な距離を更に拡大することができる。
【００１２】
一方の導体板の給電端子と他方の導体板の給電端子との間の線路に並列に一対のインダクタンス素子が設けられてもよい。これは非導電性の対象物と同行する広帯域の無線タグを形成する観点から好ましい。
【００１３】
一対のインダクタンス素子を形成する一対の線路も、搭載位置に関して点対称な形状を有してよい。これは、非導電性の対象物と同行する無線タグでも効果的に円偏波信号を送受信する観点から好ましい。
【実施例１】
【００１４】
図１Ａは本発明の一実施例による無線タグの平面図を示し、図１Ｂは無線タグの断面図を示す。無線タグは、誘電体基板11と、誘電体基板11の一方面上に設けられた一対の導体板12,13と、無線タグ用集積回路（タグLSI又はタグICとも言及される。）14と、誘電体基板11の他方面（裏面）に設けられた接地導体板15とを有する。無線タグは、一対の導体板12,13を通じてＵＨＦ帯（典型的には、950ＭＨｚ）の信号を送受信する。図中の寸法の単位はミリメートル（ｍｍ）であるが、数値は単なる一例に過ぎず、本発明の範疇で様々な数値が使用されてよい。
【００１５】
誘電体基板11は、一例として約3ｍｍの厚さを有し、比誘電率は3.3である。当然に他の厚み及び／又は比誘電率が使用されてもよい。
【００１６】
一対の導体板12,13はそれぞれ同一形状を有する。導体板は金属製の板状の部材で構成され、金属パッチとも言及される。導体板12,13は電波を送受信するための放射素子として機能する。導体板はほぼ正方形の輪郭を有し、四隅の内の１つの角が斜めに切り落とされている。導体板の輪郭形状については第２実施例で更に説明される。導体板12,13及び接地導体板15の厚みは、30〜35マイクロメートル程度である。
【００１７】
タグLSI14は、導体板12,13各々の給電点E,F間（の中点）に設けられる。一対の導体板12,13はタグLSI（の搭載位置）14に関して点対称な形状を有する。タグLSIもその搭載位置も共に14として言及される。言い換えれば一対の導体板12,13及びタグLSI14は、誘電体基板11上の或る基準直線に沿って整列する。この点、既存のパッチアンテナと給電方式が大きく異なる。そもそも既存のパッチアンテナでは金属パッチが２枚一組では用意されず、１枚しか用意されない。その一枚の金属パッチと裏面の接地導体板との間で給電が行われる（このような給電方式は、マイクロストリップ給電と呼ばれる。）。図１Ａ，図１Ｂに示されている例では２枚の金属パッチが誘電体基板の一方面に設けられ、２枚の金属パッチの給電点の間にタグLSI14が挿入され、平衡給電方式が実現される。
【００１８】
無線タグが適切に動作するには、タグLSI14及び無線タグ用アンテナ11,12,13,15のインピーダンスが適切に整合していなければならない。
【００１９】
図２は回路又はアンテナのインピーダンス特性を説明するためのスミスチャートを示す。図中、線分ＰＲの全部又は一部を直径とし点Ｐを通る円は抵抗成分（実数成分）が同じインピーダンスの軌跡（インピーダンス特性）を示す。また、点Ｐを通り、上記の円全てに垂直に交わる円弧はリアクタンス成分（虚数成分）が同じインピーダンスの軌跡を示す。一般的には、例えばダイポールアンテナのインピーダンスが50Ωのような特性インピーダンス（虚数成分が実質的にゼロであって抵抗成分の値が50Ω）に合わせられる。50Ωの特性インピーダンスはスミスチャートの原点Ｑに対応する。一方、タグLSIのインピーダンスは抵抗成分及び容量成分を有し、それは点Ｓで示される。従って、一般的にはアンテナのインピーダンスとタグLSIのインピーダンスはそのままでは整合しない。このため、双方のインピーダンスが整合するように、調整回路が設けられる（調整回路が実現されるように、アンテナ及び線路の形状、パターン及び寸法等が設計される）。
【００２０】
図３はアンテナ及びタグLSIが或る動作周波数ｆで整合するための条件を示す。アンテナは抵抗成分R1及びインダクタンス成分Lの並列回路で表現され、タグLSIは抵抗成分R2及びキャパシタンス成分Cの並列回路で表現される。これらが整合するには、
ｆ＝(2π√(LC))−1  ；及び
R1=R2；
であることが必要とされる。
【００２１】
図２では、タグLSI14のインピーダンスはその動作周波数（例えば950MHz）で点Ｓにあるように示されている。点Ｔは、点Ｓで示されるインピーダンスと同じ抵抗成分を有するが、符号が異なるリアクタンス成分を有するインピーダンスを表す。点Ｓでのインピーダンスを（Ｒ−ｊＸ）とすると、点Ｔでのインピーダンスは（Ｒ＋ｊＸ）である。タグLSIに接続される回路のインピーダンスが950MHzで点Ｔ付近にあれば、タグLSIとアンテナ側とを適切に整合させることができる。
【００２２】
従来のダイポールアンテナやパッチアンテナ等が使用される場合には、線路やスリット等のパターンを適切に調整することで、整合条件を満たすことになる。しかしながら本実施例ではアンテナ構造を図１Ａ，図１Ｂに示されるような構造にするので、タグLSI14に接続される回路のインピーダンス（給電端子E,Fから見たインピーダンス）を所望の周波数（950MHz）で当初から点Ｔ付近に合わせることができる。従来とは異なり、更なるインピーダンス調整回路を要しない。
【００２３】
図４は図１Ａ，図１Ｂに示されるような無線タグ用アンテナ11,12,13,15のインピーダンス特性を、0.8〜1.1GHｚの周波数範囲にわたってプロットしたシミュレーション結果を示す。但し、計算の簡素化を図るため、接地導体板は無限に広い金属板であることが仮定されている。図４のスミスチャートでは抵抗値R及びリアクタンス値Xは特性インピーダンスZ0で規格化されている。図示されているように、0.8GHｚ（800MHｚ）から周波数を増やすにつれてインピーダンスは点Ｐ付近から時計回りに円形の軌跡を描いている。この場合に950MHｚで所望のインピーダンス（タグLSIのインピーダンスの複素共役）になっていることが分かる。
【実施例２】
【００２４】
ところで、無線タグと通信するリーダ／ライタ装置は無線タグに円偏波信号を送信し、無線タグに電力及び応答の契機を与える。従来の無線タグは構成の簡易化等を図るために直線偏波信号を送受信するアンテナを備えている。仮に、リーダ／ライタ装置も直線偏波信号を無線タグに送信したとすると、無線タグに供給される電力量は、リーダ／ライタ装置及び無線タグの位置関係に大きく依存してしまう。仮に、リーダ／ライタ装置及び無線タグ各自の偏波面が互いに直交するような位置関係であったとすると、無線タグは適切な応答信号をリーダ／ライタ装置に返すことができないかもしれない。このような不都合を抑制するため、リーダ／ライタ装置は円偏波信号を無線タグに送信している。これによりリーダ／ライタ装置及び無線タグの位置関係によらず、無線タグは常にリーダ／ライタ装置からの応答指令信号を受信し、それに応じることができる。
【００２５】
しかしながら無線タグ用アンテナは直線偏波信号を送受信するようにしか動作しないので、無線タグは最低限の電力で信号を送受信できる反面、それより多くの電力で信号を送受信することは困難である。本発明の第２実施例はこのような問題にも対処でき、タグLSIに供給可能な電力ひいては通信可能な距離を向上させることを目的とする。
【００２６】
このような目的を達成するため、一対の導体板は円偏波信号を送受信するように構成される。図１Ａに示されるように、一対の導体板12,13各々の輪郭は、基準直線に沿う直線部分Zを有する。このような導体板の輪郭は、鈍角をなす頂点（図１Ａでは直線部分Ｚの両端に位置する）を複数個有すると表現されてもよいし、４より多くの頂点を有する多角形をなすと表現されてもよい。
【００２７】
図５は図１Ａ，図１Ｂに示されるような無線タグ用アンテナに対して、935MHzの右旋円偏波及び左旋円偏波が送受信される場合の利得を示す。無線タグ用アンテナに垂直な方向にｚ軸がとられ、極座標の半径方向とｚ軸のなす角θは天頂角になる。図中横軸は天頂角θ（deg）を示し、縦軸はyz面内での利得（dBi）を示す。右旋円偏波の場合は、天頂角θが−90度から0度に向かうにつれて利得は単調に増加し、0度で最大値（約7ｄBi）に到達し、以後+90度に向かうにつれて対称的に減少している。左旋円偏波の場合は、天頂角θが−90度から−50度に向かうにつれて単調に減少し、−50度で最小値（約−15dBi）に到達し、以後0度に向かうにつれて今度は逆に単調に増加し、0度で約−8dBiに到達し、以後+90度に向かうにつれて対称的に減少及び増加している。このように右旋円偏波及び左旋円偏波について異なる利得が得られているので、このアンテナは円偏波信号を適切に送受信することができる（仮にアンテナが直線偏波信号用であったならば、右旋及び左旋の何れの円偏波信号に対しても同じ特性を示すことになる）。このようなアンテナを利用することで、約7dBiの利得を得ることができ、非常に長距離の通信を行うことができるようになる。非特許文献１記載の無線タグ用アンテナでは約5ｍｍの厚みで6dBiの利得を達成しているようであるが、本実施例では約3ｍｍの厚みで7dBiの利得を達成している。本実施例でも誘電体基板の厚みが更に増やされたならば、更に長距離の通信を行うことができる。
【００２８】
図６は本発明の一実施例による別の無線タグの平面図を示す。無線タグ用アンテナの動作原理は説明済みのアンテナと同様であるが、基準直線に沿う直線部分Z'がより長く形成されている。図示の例では導体板は台形をなすように形成されている。言い換えれば、一対の導体板各々の輪郭は、鈍角をなす頂点を1つしか有しない（鋭角をなす頂点が１つ、直角をなす頂点が２つある。）。
【００２９】
図７は図６に示されるような無線タグ用アンテナのインピーダンス特性を、0.8〜1.1GHｚの周波数範囲にわたってプロットしたシミュレーション結果を示す。図４のシミュレーションと同様に、接地導体板は無限に広い金属板であることが仮定されている。また、抵抗値R及びリアクタンス値Xは特性インピーダンスZ0で規格化されている。図示されているように、0.8GHｚ（800MHｚ）から周波数を増やすにつれてインピーダンスは点Ｐ付近から時計回りに円形の軌跡を描き、950MHｚ付近で小さなループを描いている。この場合も、950MHｚで所望のインピーダンス（タグLSIのインピーダンスの複素共役）になっていることが分かる。具体的には953MHｚでアドミタンスYが1.6−j5.69mSであり、インピーダンスの抵抗成分R1（Rap）は624Ωであり、対応するタグLSI側の容量値C（Ccp）は0.95pFである。
【実施例３】
【００３０】
第1及び第２実施例では、タグLSIに関して点対称に基板上に設けられた一対の導電板を有するアンテナが、金属製の対象物と同行する無線タグに使用されていた。しかしながらそのようなアンテナが、非金属の対象物と同行する無線タグに使用されてもよい。本発明の第３実施例では、非金属の対象物に同伴する無線タグに使用されるアンテナが説明される。
【００３１】
図８は本実施例による無線タグの平面図を示す。無線タグは、誘電体基板（図示せず）と、誘電体基板の一方面上に設けられた一対の導体板82,83と、タグLSI84を有し、誘電体基板の他方面に接地導電板は設けられない。一対の導体板は、タグLSI84の搭載位置84に関して点対称な形状を有する。一対の導体板82,83各々の輪郭は、基準直線（図８では図示せず）に沿う平行な直線部分Z1,Z2を有する。このような導体板の輪郭は、鈍角をなす頂点を複数個有すると表現されてもよいし（図８では直線部分Ｚ1の両端及び直線部分Z2の一端に位置する）、４より多くの頂点を有する多角形をなすと表現されてもよい。更に、一方の導体板82の給電端子Eと他方の導体板83の給電端子Fとの間の線路に並列に一対のインダクタンス素子85,86も設けられている。一対のインダクタンス素子を形成する一対の線路は、タグLSI84の搭載位置に関して点対称な形状を有する。導体板及びインダクタンス素子が、タグLSI84の搭載位置に関して点対称に設けられるのは、導体板が適切に円偏波信号を送受信できるようにするためである。
【００３２】
図９は図８に示されるような無線タグ用アンテナのインピーダンス特性を、0.8〜1.1GHｚの周波数範囲にわたってプロットしたシミュレーション結果を示す。但し、計算の簡素化を図るため、誘電体基板は存在しないものとして計算が行われている。図９のスミスチャートでも抵抗値R及びリアクタンス値Xは特性インピーダンスZ0で規格化されている。図中「W」で示されているように、0.8GHｚ（800MHｚ）から1.1GHｚまで周波数を増やしてもインピーダンスはほとんど変化していないことが分かる。これは、一対のインダクタンス素子85，86が設けられているからであり、このようなインダクタンス素子がなかったならば、インピーダンスは周波数に依存して大きく変化する。本実施例ではインダクタンス素子を適切に設けることで、アンテナのインピーダンスの周波数依存性を実質的に抑制し、且つそのインピーダンスの値をタグLSIに整合するように設定できる。即ち、950MHｚで所望のインピーダンス（タグLSIのインピーダンスの複素共役）にすることができる。インピーダンスの周波数依存性が非常に小さいので、このようなアンテナは広い周波数帯域の製品用途に有利である。
【００３３】
図１０は図８に示されるようなアンテナに対する利得（dBi）及び軸比(axial  ratio)の周波数依存性を示す。上述したようにインピーダンスの周波数依存性は小さいので、利得の周波数依存性も小さい。このため、周波数が0.8GHｚから1.1GHzに変化しても、利得は3.9dBiないし5.5dBi程度の範疇にあり、特に950MHｚでは4.84dBiの利得が得られている。この値は第２実施例の7dBiより少ないかもしれないが、それでも従来の無線タグに比べれば（約2~3dBi）、電波の飛距離は長いと言える。
【００３４】
軸比とはアンテナを通じて送受信される電波がどの程度適切に円偏波を実現しているかを示す。円偏波を形成しようとする２つの直線偏波が、互いに90度位相がずれていて等振幅であれば完全な円偏波を実現できる。しかし実際には何らかのズレがあるので、２つの直線偏波の合成波は楕円偏波となり、長軸及び短軸方向の振幅比が軸比で表現される。上記のシミュレーション結果によれば、950MHｚで約1.5dBのような小さな軸比が実現され、ほぼ円偏波が実現できていることが分かる。理想的な円偏波ならば軸比は０ｄBになる。
【００３５】
図11は別の無線タグの平面図を示す。無線タグは、誘電体基板（図示せず）と、誘電体基板の一方面上に設けられた一対の導体板112,113と、タグLSI114を有し、誘電体基板の他方面に接地導電板は設けられない。アンテナの動作原理は図８で説明済みのものと同様である。図11に示される例でも、一対の導体板は、タグLSI84の搭載位置84に関して点対称な形状を有する。一対の導体板112,113各々の輪郭は、基準直線にほぼ垂直な直線部分Zを有し、各導体板の直線部分は互いに平行である。一方の導体板112の給電端子Eと他方の導体板113の給電端子Fとの間の線路に並列に一対のインダクタンス素子115,116も設けられている。一対のインダクタンス素子を形成する一対の線路は、タグLSI114の搭載位置に関して点対称な形状を有する。
【００３６】
図12は図11に示されるような無線タグ用アンテナのインピーダンス特性を、0.8〜1.1GHｚの周波数範囲にわたってプロットしたシミュレーション結果を示す。図9の場合と同様に、1.1GHｚまで周波数を増やしてもインピーダンスはほとんど変化していないことが分かる。インピーダンスの値がタグLSIに整合するように、950MHｚで所望のインピーダンス（タグLSIのインピーダンスの複素共役）にすることができる。インピーダンスの周波数依存性が非常に小さいので、このようなアンテナは広い周波数帯域の製品用途に有利である。
【００３７】
図13は図11に示されるようなアンテナに対する利得（dBi）及び軸比の周波数依存性を示す。インピーダンスの周波数依存性は小さいので、利得の周波数依存性も小さい。このため、周波数が0.8GHｚから1.1GHzに変化しても、利得は3.5dBiないし4.2dBi程度の範疇にあり、特に950MHｚでは4.2dBiの利得が得られている。この値も第２実施例の7dBiより少ないかもしれないが、それでも従来の無線タグに比べれば（約2~3dBi）、電波の飛距離は長いと言える。また、上記のシミュレーション結果によれば、950MHｚで約1.0dBのような小さな軸比が実現され、ほぼ円偏波が実現できていることが分かる。
【００３８】
説明の便宜上、本発明が幾つかの実施例に分けて説明されてきたが、各実施例の区分けは本発明に本質的ではなく、１以上の実施例が必要に応じて使用されてよい。
【００３９】
以下、本発明により教示される手段を例示的に列挙する。
【００４０】
（付記１）
誘電体基板と、
前記誘電体基板の一方面上に設けられた一対の導体板と、
を有し、前記一対の導体板は、無線タグ用集積回路の搭載位置に関して点対称な形状を有する
ことを特徴とする無線タグ用アンテナ。
【００４１】
（付記２）
前記一対の導体板及び前記搭載位置が、前記一方面上の或る基準直線に沿って整列する
ことを特徴とする付記１記載の無線タグ用アンテナ。
【００４２】
（付記３）
前記一対の導体板各々の輪郭が、前記基準直線に平行な直線部分を有する
ことを特徴とする付記２記載の無線タグ用アンテナ。
【００４３】
（付記４）
前記一対の導体板各々の輪郭が、前記基準直線に垂直な直線部分を有する
ことを特徴とする付記２記載の無線タグ用アンテナ。
【００４４】
（付記５）
前記一対の導体板各々の輪郭が、実質的に三角形をなす
ことを特徴とする付記２記載の無線タグ用アンテナ。
【００４５】
（付記６）
前記誘電体基板の他方面上に接地導体板が設けられる
ことを特徴とする付記１記載の無線タグ用アンテナ。
【００４６】
（付記７）
前記一対の導体板は、円偏波信号を送受信するように構成される
ことを特徴とする付記１記載の無線タグ用アンテナ。
【００４７】
（付記８）
前記一対の導体板各々の輪郭は、鈍角をなす頂点を1以上有する
ことを特徴とする付記７記載の無線タグ用アンテナ。
【００４８】
（付記９）
前記一対の導体板各々の輪郭は、４より多くの頂点を有する多角形をなす
ことを特徴とする付記８記載の無線タグ用アンテナ。
【００４９】
（付記１０）
一方の導体板の給電端子と他方の導体板の給電端子との間の線路に並列に一対のインダクタンス素子が設けられる
ことを特徴とする付記７記載の無線タグ用アンテナ。
【００５０】
（付記１１）
前記一対のインダクタンス素子を形成する一対の線路が、前記搭載位置に関して点対称な形状を有する
ことを特徴とする付記１０記載の無線タグ用アンテナ。
【００５１】
（付記１２）
前記一対の導体板を通じてＵＨＦ帯の信号が送受信される
ことを特徴とする付記１記載の無線タグ用アンテナ。
【００５２】
（付記１３）
付記１記載の無線タグ用アンテナと、
前記搭載位置に設けられ、前記一対の導体板に接続された無線タグ用集積回路と、
を有することを特徴とする無線タグ。
【図面の簡単な説明】
【００５３】
【図１Ａ】本発明の一実施例による無線タグの平面図を示す。
【図１Ｂ】図１に示される無線タグのＡ−Ａ線断面図を示す。
【図２】回路又はアンテナのインピーダンス特性を説明するためのスミスチャートを示す。
【図３】アンテナとタグLSIの整合条件を説明するための図である。
【図４】インピーダンス特性のシミュレーション結果を示す図である。
【図５】右旋及び左旋円偏波についての利得を示す図である。
【図６】本発明の一実施例による別の無線タグの平面図を示す。
【図７】インピーダンス特性のシミュレーション結果を示す図である。
【図８】本発明の一実施例による別の無線タグの平面図を示す。
【図９】インピーダンス特性のシミュレーション結果を示す図である。
【図１０】図８に示されるアンテナに対する利得及び軸比の周波数依存性を示す図である。
【図１１】本発明の一実施例による別の無線タグの平面図を示す。
【図１２】インピーダンス特性のシミュレーション結果を示す図である。
【図１３】図１１に示されるアンテナに対する利得及び軸比の周波数依存性を示す図である。
【符号の説明】
【００５４】
11  誘電体基板
12,13  一対の導体板
14  タグLSI搭載場所
15  接地導体板
82,83  一対の導体板
84  タグLSI搭載場所
85,86  インダクタンス素子
112,113  一対の導体板
114  タグLSI搭載場所
115,116  インダクタンス素子
E,F  給電端子
Z  直線部分
【図１Ａ】
0004825582.tif 000002
【図１Ｂ】
0004825582.tif 000003
【図２】
0004825582.tif 000004
【図３】
0004825582.tif 000005
【図４】
0004825582.tif 000006
【図５】
0004825582.tif 000007
【図６】
0004825582.tif 000008
【図７】
0004825582.tif 000009
【図８】
0004825582.tif 000010
【図９】
0004825582.tif 000011
【図１０】
0004825582.tif 000012
【図１１】
0004825582.tif 000013
【図１２】
0004825582.tif 000014
【図１３】
0004825582.tif 000015